(57)【特許請求の範囲】
【請求項１】
脚体１の上端に設けた支持フレーム２に取付けた座体３と、ばね13等の弾性支持手段に抗して後傾動する背もたれ４とを備え、前記背もたれ４を、人の背中を支持する背中支持部８と人の腰を支持する腰支持部９とで構成して、前記腰支持部９を、背中支持部８に対して相対的に前向き突出可能で且つ平面視で前向き凹状に撓み変形可能に形成して成る椅子において、
前記背中支持部８を、前記支持フレーム２及び座体２に後傾動自在に枢着した第１傾動体10に取付ける一方、前記座体３及び支持フレーム２に、腰支持部９の背面に向けて延びる第２傾動体14を前後傾動自在に枢着し、これら第１傾動体10と第２傾動体14とを、第１傾動体10が後傾動すると第２傾動体14が相対的に前傾動するようにリンク19を介して連動せしめ、前記第２傾動体14を腰支持部９の背面に当接していることを特徴とする椅子における背もたれの支持構造。
【請求項２】
「請求項１」において、前記第２傾動体14と腰支持部９とのいずれか一方又は両方に、腰支持部９に対する押圧部15の押圧作用によって腰支持部９が平面視で前向き凹状に撓み変形させるようにした押圧部15を形成していることを特徴とする椅子における背もたれの支持構造。
【請求項３】
「請求項１」又は「請求項２」において、前座体３を支持フレーム２に対して後退動及び後傾動自在に取付け、第１傾動体10と座体３とを、第１傾動体10が後傾動すると座体３が一緒に後退動しつつ後傾動するように連動連結し、更に、前記第２傾動体14を座体３に後傾動自在に枢着し、第２傾動体14と支持フレーム２とを、当該第２傾動体14と支持フレーム２に前後回動自在に枢着したリンク19によって連結したことを特徴とする椅子における背もたれの支持構造。
【発明の詳細な説明】
【０００１】
【発明の属する技術分野】
本発明は、椅子における背もたれの支持構造に関するものである。
【０００２】
【従来の技術】
椅子において、ロッキング時に腰椎や脊髄に負担をかけることなく上半身を安定した状態でサポートできるようにするために、椅子の背もたれを、人の背中を支持する背中支持部と腰を支持する腰支持部とで構成し、人が背もたれにもたれ掛かったロッキング時に腰支持部を背中支持部に対して相対的に前向き突出させることが考えられている。
【０００３】
この具体的手段として、例えば本願出願人の先願に係る特開平７−９５９１１  号公報や特開平７−９５９１３  号公報、特開平７−１５５２３３号公報には、脚体の上端に固着した支持フレームに、腰支持部の背面に向けて延びるガイド部材を固着して、このガイド部材によるガイド作用を利用して、背中支持部の後傾動に連動して腰支持部を側面視で引き伸ばすように変形させることが開示されている。
【０００４】
更に、前記特開平７−１５５２３２号公報には、腰支持部を平面視で撓み変形自在に構成して、ガイド部材と腰支持部とが先に左右両端部において当たるように設定することにより、ロッキング時に腰支持部が平面視で前向き凹状に変形するように構成することが開示されている。このように構成すると、人の腰が腰支持部で包まれた状態になるため、より安楽なロッキング状態を得ることができる。
【０００５】
他方、前記公報と同様に本願出願人の先願に係る特開平７−１６３４３６号公報や特開平７−１８４７４１号公報には、背中支持部の後傾動に連動して変形する弾性部材を利用して、腰支持部を前向きに突き出すことが開示されている。
【０００６】
【発明が解決しようとする課題】
しかし、特開平７−９５９１１  号公報や特開平７−９５９１３  号公報、特開平７−１５５２３３号公報のように固定式のガイド部材を使用する構成では、ロッキング時に腰支持部を側面視で引き伸ばすようにしており、このため、ロッキング作動がスムースでない虞があった。さりとて、ガイド部材が固定式であると、ガイド部材で腰支持部の背面を支持しただけでは腰支持部が過度に前向き突出し過ぎてしまうことになり、適正なサポート状態を得ることはできない。
【０００７】
他方、特開平７−１６３４３６号公報や特開平７−１８４７４１号公報のように弾性部材を使用して腰支持部を押し出すものでは、ロッキング時の身体の反力による弾性部材の戻り変形を防止するためには当該弾性部材の弾性力を変形しにくくしなければならず、かくすると、背もたれの円滑な後傾動が阻害されることになり、背もたれの円滑な後傾動と身体の適切な支持とが相反するのであった。
【０００８】
本発明は、背もたれを背中支持部と腰支持部とに形成してロッキング時にこれらを相対動させるにおいて、簡単な構造で腰支持部を背中支持部に対してスムースに相対動させ得るようにすることを目的とするものである。
【０００９】
【課題を解決するための手段】
この目的を達成するため本発明では、
「脚体の上端に設けた支持フレームに取付けた座体と、ばね13等の弾性支持手段に抗して後傾動する背もたれとを備え、前記背もたれを、人の背中を支持する背中支持部と人の腰を支持する腰支持部とで構成して、前記腰支持部を、背中支持部に対して相対的に前向き突出可能で且つ平面視で前向き凹状に撓み変形可能に形成して成る椅子において、
前記背中支持部を、前記支持フレーム及び座体に後傾動自在に枢着した第１傾動体に取付ける一方、前記座体及び支持フレームに、腰支持部の背面に向けて延びる第２傾動体を前後傾動自在に枢着し、これら第１傾動体と第２傾動体とを、第１傾動体が後傾動すると第２傾動体が相対的に前傾動するようにリンクを介して連動せしめ、前記第２傾動体を腰支持部の背面に当接する」
の構成にした。
【００１０】
【発明の実施形態】
次に、本発明の実施形態を図面に基づいて説明する。図１は椅子の縦断側面図、図２部材の分離図、図３は図１の  ＩＩＩ−ＩＩＩ  視断面図、図４は図１のＩＶ−ＩＶ視断面図、図５は図１のＶ−Ｖ  視背面図、図６は図１のＶＩ−ＶＩ視断面図、図７はロッキング状態の縦断側面図、図８は図７のＶＩＩＩ−ＶＩＩＩ  視断面図である。
【００１１】
椅子は、脚体１と、脚体１の上端に固着した支持フレーム２と、該支持フレーム２に取付けたクッション付き座体３と、クッション付き背もたれ４とを備えており、座体３は座受け体５に固着されている。
図３〜４に示すように、前記支持フレーム２は正面視上向き開口コ字状に形成されている。同じく図３〜４に示すように、座受け体５は正面視で支持フレーム２の左右側板２ａの内側に配置しており、座受け体５の側板を支持フレーム２の側板２ａの前端部に水平状の第１軸６によって枢着している。この場合、第１軸６が嵌まる支持フレーム２の第１枢支穴７を側面視で水平状に延びる長穴に形成している。従って、座体３は後傾動しつつ後退動し得る。
【００１２】
背もたれ４は、人の背中を支持する背中支持部８と、人の腰部を支持する腰支持部９とから成っており、背中支持部８は、背中支持部８は側面視略Ｌ字状に形成した第１傾動体１０の上部に固着されている。
第１傾動体１０の前端は下向きに突出しており、この下向き突出部１０ａの上下中途部を、支持フレーム２の側板２ａに第２軸１１によって枢着している。更に、第１傾動体１０のうち水平部の前端は、第３軸１２によって座受け体５に枢着されている。図１に一点鎖線で部分的に示すように、第１傾動体１０の下向き突出部１０ａは、弾性支持手段の一例としてのばね１３によって前方から支持されている。
【００１３】
従って、人が背もたれ４にもたれ掛かると、第１傾動体１０がばね１３に抗して第２軸１１を中心に後傾動すると共に、これに連動して座体３は第１枢支孔７にガイドされて後退動しつつ後傾動することになる。
前記座受け体５には、側面視でＬ字状に形成した第２傾動体１４の前端を前記第３軸１２によって前後傾動自在に枢着している。第２傾動体１４は腰支持部９の背面に向けて延びており、上端の左右両側に、腰支持部９の背面に当たる押圧部１５を前向きに突設している。
【００１４】
なお、非ロッキング状態で押圧部１５を腰支持部９に当てた状態にしておいても良いし、非ロッキング状態で押圧部１５と腰支持部９との間に多少の隙間を設けておいて、背もたれ４の後傾途中で押圧部１５が腰支持部９に当接するようにしても良い。更に、第２傾動体１４の押圧部１５と腰支持部９との間にばね手段を介在させても良い。更に、押圧部１５を腰支持部９に対してピン止め等の手段で係着しておいても良い。
【００１５】
前記背中支持部８と腰支持部９とは、それぞれ合成樹脂製等の基板（シェル）１５にクッションを設けた構造であり、背中支持部８は、第１傾動体１０に取付けられていて殆ど撓み変形しない状態になっている。
また、背中支持部８と腰支持部９との基板１６は細幅部１６ａを介して一体に繋がっている。従って、ブリッジ部１６ａが屈曲変形することにより、腰支持部９は背中支持部８に対して相対的に前向き突出し得る。更に、腰支持部９は、平面視で前向き凹状に撓み変形し得る曲げ強度に形成されている。なお、背中支持部８と腰支持部９とは、蝶番等の回動自在な連結具で連結したりピンで枢着したりしても良い。
【００１６】
前記第２傾動体１４の水平部と支持フレーム２とは、それらに第４軸１７及び第５軸１８によって前後回動自在に枢着したリンク１９によって連動連結されている。
以上の構成において、図７に示すように、人が背もたれ４にもたれ掛かると背中支持部８と第１傾動体１０とが一体的に後傾動し、これに連動して座体３も第１枢支穴７にガイドされて後退動しつつ後傾動する。更に、第１傾動体１０に連動して第２傾動体１４も後傾動する。この場合、第２傾動体１４にはリンク１９が突っ張った状態になっているため、第２傾動体１４の後傾動は抑制され、これにより、腰支持部９が背中支持部８に対して相対的に前向き突出する。
【００１７】
そして、第２傾動体１４の押圧部１５で腰支持部９が背面から押圧される状態になるが、第２傾動体１４の左右押圧部１５は間隔が広いため、図８に示すように、腰支持部９は平面視で前向き凹状に撓み変形する。これにより、腰支持部９で人の腰が包まれるような状態になり、より快適なロッキング状態を提供できる。
また、ロッキング時の第２傾動体１４の絶対位置は非ロッキング時に比べて後退しているため、換言すると、第２傾動体１５も第１傾動体１０に連動して後退動及び後傾動するため、第２傾動体１４の押圧部１５を腰支持部９の背面に当てただけの簡単な構造でありながら、腰支持部９が過度に突出することはなく、人の上半身を適正にサポートできる。
【００１８】
腰支持部９が背中支持部８に対して相対的に前向き突出する度合いは、押圧部１５の高さ位置を変更したり（押圧部１５が下方に移行するほど突出量は少なくなる）、リンク１９の位置を変更したりすることによって自在に調整できる（リンク１９の位置を後退させると第２傾動体１４の後傾が抑制されるため、前向き突出量は増大する）。
【００１９】
上記の実施形態は第２傾動体１０に左右一対の押圧部１５を設けた場合であったが、複数対の押圧部１５を、左右外側に行くに従って突出寸法が大きくなるようにして配置したり、或いは、押圧部１５を平面視で前向き凹状に形成しても良い。
また、図９の変形例に示すように、第２傾動体１０の押圧部１５を平面視で直線状に延びる単なる平板状に形成する一方、腰支持部９の背面に、第２傾動体１４に向けて延びる左右一対（又は複数対）の押圧部１５を形成しても良い。
【００２０】
更に、腰支持部には縦長のスリットを複数本形成して、より変形しやすいように形成しても良い。また、本願発明は、座体が後傾動又は後退動しない椅子にも適用できる。
【００２１】
【発明の奏する効果】
上述の説明の通り、本願発明によると、背中支持部の後退動に連動して回動する第２傾動体によって腰支持部を相対的に前向き突出動させるものであるから、ごく簡単な構成でありながら、腰支持部を適正な量だけ背中支持部に対して相対的に前向き突出させることができる。また、腰支持部を無理に引き伸ばし変形させるものではないから、ロッキングの動作もスムースである。
【００２２】
従って、背もたれを人の上半身にフィットさせて快適なロッキング状態を得ることを、簡単な構造で実現できる。
また、請求項２のように構成すると、ロッキング状態において人の腰が腰支持部によって包まれる状態になるため、一層快適なロッキング状態を得ることができる。更に請求項２３ように構成すると、座体と背もたれとの間隔を適正な状態に保持できるため、より快適なロッキング状態を得ることができる。
【図面の簡単な説明】
【図１】第１実施形態に係る椅子の縦断側面図である。
【図２】部材の分離側面図である。
【図３】図１の  ＩＩＩ−ＩＩＩ  視断面図である。
【図４】図１のＩＶ−ＩＶ視視断面図である。
【図５】図１はＶ−Ｖ視背面図である。
【図６】図１のＶＩ−ＶＩ視断面図である。
【図７】ロッキング状態の縦断側面図である。
【図８】図７のＶＩＩＩ−ＶＩＩＩ  視断面図である。
【図９】変形例を示す平断面図である。
【符号の説明】
１    脚体
２    支持フレーム
３    座体
４    背もたれ
５    座受け体
８    背中支持部
９    腰支持部
１０    第１傾動体
１３    ばね
１４    第２傾動体
１５    押圧部
【図１】
0003585013.tif 000002
【図２】
0003585013.tif 000003
【図３】
0003585013.tif 000004
【図４】
0003585013.tif 000005
【図５】
0003585013.tif 000006
【図６】
0003585013.tif 000007
【図７】
0003585013.tif 000008
【図８】
0003585013.tif 000009
【図９】
0003585013.tif 000010